(57)【要約】【課題】ランプの切削粉が磁気ディスクの記録面に飛散するのを防止して、磁気ヘッドおよび磁気ディスクの故障を防止できる磁気ディスク装置を提供する。【解決手段】回転可能に支持された、記録面をもつ磁気ディスクと、ヘッドが組み込まれたスライダと、タブとを有し、前記ヘッドを前記磁気ディスクの記録面にアクセスさせるヘッドジンバルアセンブリと、前記磁気ディスクの周辺に設けられ、前記磁気ディスクの記録面の周縁部に対向する記録面対向面と、前記磁気ディスクの端面に対向する端面対向面と、前記ヘッドジンバルアセンブリのタブをスライドさせる烏口とを備えたランプとを有し、前記ランプは、前記記録面対向面に隣接し前記磁気ディスクの回転方向に面する一部の側面が前記磁気ディスクの回転方向の下流側に後退し、前記後退した一部の側面と前記磁気ディスク外周の接線とが鋭角をなすことを特徴とする磁気ディスク装置。【選択図】      図８
2010146686.tif 000002
【特許請求の範囲】
【請求項１】
回転可能に支持された、記録面をもつ磁気ディスクと、
ヘッドが組み込まれたスライダと、タブとを有し、前記ヘッドを前記磁気ディスクの記録面にアクセスさせるヘッドジンバルアセンブリと、
前記磁気ディスクの周辺に設けられ、前記磁気ディスクの記録面の周縁部に対向する記録面対向面と、前記磁気ディスクの端面に対向する端面対向面と、前記ヘッドジンバルアセンブリのタブをスライドさせる烏口とを備えたランプとを有し、
前記ランプは、前記記録面対向面に隣接し前記磁気ディスクの回転方向に面する一部の側面が前記磁気ディスクの回転方向の下流側に後退し、前記後退した一部の側面と前記磁気ディスク外周の接線とが鋭角をなすことを特徴とする磁気ディスク装置。
【請求項２】
前記ランプは、前記後退した一部の側面と交差する位置にある前記端面対向面に粘着性樹脂層を有することを特徴とする請求項１に記載の磁気ディスク装置。
【請求項３】
前記ランプは、前記後退した側面の一部よりも前記磁気ディスクの回転方向の下流側の前記記録面対向面に１つ以上の溝を有し、前記１つ以上の溝内の壁面と前記磁気ディスク外周の接線とが鋭角をなすことを特徴とする請求項１に記載の磁気ディスク装置。
【発明の詳細な説明】
【技術分野】
【０００１】
本発明は、改良されたランプを備えた磁気ディスク装置に関する。
【背景技術】
【０００２】
磁気ディスク装置は、回転可能に支持された、記録面をもつ磁気ディスクと、ヘッドを磁気ディスクの記録面にアクセスさせるヘッドジンバルアセンブリとを有する。また、磁気ディスク装置の停止時や記録または再生動作の中断時に、ヘッドを磁気ディスクの外部へアンロードさせるランプが設けられる。ランプは磁気ディスクの周辺に設けられ、磁気ディスクの記録面の周縁部に対向する記録面対向面と、磁気ディスクの端面に対向する端面対向面と、ヘッドジンバルアセンブリの先端に設けられたタブ（リフトタブ）をスライドさせる烏口とを備えている。ランプは樹脂成形品で形成されている。
【０００３】
磁気ディスク装置に外部から強い衝撃が加わると、衝撃によって磁気ディスクが撓み、ランプの記録面対向面に衝突することがある。この結果、ランプを構成する樹脂の切削粉が発生し、これが磁気ディスクの周縁部に付着することがある。このような切削粉が磁気ディスクの内周部の記録面へ飛散すると、磁気ヘッドおよび磁気ディスクの故障を招く原因になる。
【０００４】
この問題に対して、特許文献１は、磁気ディスクの端面に対向する端面対向面側に磁気ディスクの外周縁を逃がすための空間を設けたランプを開示している。このような構造は、磁気ディスクが外部衝撃で撓んだときに磁気ディスクの外周縁とランプとが接触することを防ぐことを目的とするものである。しかし、このような構造を採用しても、磁気ディスクの外周縁とランプとの接触をなくすことはできない。
【特許文献１】特開２００６−３２３９３９号公報
【発明の開示】
【発明が解決しようとする課題】
【０００５】
本発明の目的は、ランプの切削粉が磁気ディスクの記録面に飛散するのを防止して、磁気ヘッドおよび磁気ディスクの故障を防止できる磁気ディスク装置を提供することにある。
【課題を解決するための手段】
【０００６】
本発明の実施形態によれば、回転可能に支持された、記録面をもつ磁気ディスクと、ヘッドが組み込まれたスライダと、タブとを有し、前記ヘッドを前記磁気ディスクの記録面にアクセスさせるヘッドジンバルアセンブリと、前記磁気ディスクの周辺に設けられ、前記磁気ディスクの記録面の周縁部に対向する記録面対向面と、前記磁気ディスクの端面に対向する端面対向面と、前記ヘッドジンバルアセンブリのタブをスライドさせる烏口とを備えたランプとを有し、前記ランプは、前記記録面対向面に隣接し前記磁気ディスクの回転方向に面する一部の側面が前記磁気ディスクの回転方向の下流側に後退し、前記後退した一部の側面と前記磁気ディスク外周の接線とが鋭角をなすことを特徴とする磁気ディスク装置が提供される。
【発明の効果】
【０００７】
本発明の磁気ディスク装置によれば、ランプの後退した一部の側面と磁気ディスク外周の接線とが鋭角をなすようにしているので、磁気ディスクの周縁部に付着したランプの切削粉を磁気ディスクの外周側へ移動させることができる。したがって、磁気ディスク装置の記録再生動作時に、磁気ヘッドが切削粉を噛み込むことによって発生する、磁気ヘッドおよび磁気ディスクの故障を防止できる。
【発明を実施するための最良の形態】
【０００８】
以下、図面を参照しながら本発明の実施形態を説明する。  
図１は本発明の実施形態に係る磁気ディスク装置の斜視図である。磁気ディスク装置の内部の状態を示すために、カバーを取り外している。
【０００９】
ベース１には磁気ディスク２が回転可能に取り付けられている。また、ベース１には、ヘッドスタックアセンブリ（以下、ＨＳＡという）３およびボイスコイルモータ（以下、ＶＣＭという）４が取り付けられている。また、磁気ディスク装置の停止時や記録または再生動作の中断時に、ヘッドを磁気ディスク２の外部へアンロードさせるランプ５が設けられている。
【００１０】
図２はヘッドスタックアセンブリ（ＨＳＡ）３の斜視図である。ＨＳＡ３は、ヘッドジンバルアセンブリ（以下、ＨＧＡという）１０と、ボイスコイル１１と、配線接続部とを含んでおり、軸受ユニット１３を中心として一体的に揺動する。ボイスコイル１１はＶＣＭ４の一部を構成する。ＨＳＡ３はＶＣＭ４により揺動され、ＨＳＡ３の先端に取り付けられたスライダに組み込まれたヘッドが磁気ディスク２を半径方向に横切って磁気ディスク２上の所望の位置にアクセスできるように構成されている。配線接続部は、アーム１５の基端部から、サスペンション１６に支持されたスライダ１７に組み込まれた磁気ヘッド、およびボイスコイル１１に電気的に接続されている。サスペンション１６の先端にはタブ（リフトタブ）１８が形成されている。
【００１１】
図３はロードアンロード機構としてのランプの外観を示す斜視図である。ランプ５は、烏口６を含むその一部が磁気ディスク２とオーバラップするように配置されている。磁気ヘッドの退避動作時においては、磁気ディスク２上にトラッキングしているＨＧＡ１０が、ＶＣＭ４の駆動トルクによりランプ５へ向かって運動し、ＨＧＡ１０先端に設けられたタブ１８が、烏口６の斜面を登り上がることにより、磁気ヘッドを磁気ディスク２上から退避させることができる。
【００１２】
ここで、従来のランプを用いた磁気ディスク装置の問題点を説明する。図４（ａ）は従来のランプおよび磁気ディスクの平面図、図４（ｂ）および図４（ｃ）は図４（ａ）のＢ−Ｂ’線に沿う断面図である。
【００１３】
図４（ａ）〜（ｃ）に示すように、烏口６を含むランプ５の一部は、磁気ディスク２とオーバラップしている。図４（ｂ）に示すように、ランプ５は、磁気ディスク２とオーバラップしている個所で、磁気ディスク２の記録面２１の周縁部に対向する記録面対向面５１と、磁気ディスク２の端面２２に対向する端面対向面５２を有する。磁気ディスク２の記録面２１と、ランプ５の記録面対向面５１との間には、装置全体の高さ寸法が許す範囲内において、一定の隙間Ｇが設けられている。
【００１４】
図４（ｃ）に示すように、磁気ディスク装置に外部から強い衝撃が加わると、衝撃によって磁気ディスク２が撓み、ランプ５の記録面対向面５１に衝突することがある。この衝撃により、回転している磁気ディスク２がランプ５を削る。このため、図４（ａ）に示すように、磁気ディスク２の周縁部にランプの切削粉６１が付着する場合がある。この状態で再度の衝撃が加わると、磁気ディスク２の周縁部に付着した切削粉６１が、破線矢印で示すように、磁気ディスク２の回転方向Ｒに面する側面５３に沿って磁気ディスク２の内周部にある記録面へ飛散する。
【００１５】
磁気ディスク装置の記録再生動作時に、磁気ヘッドは磁気ディスク２上を数ナノメートルから十数ナノメートルの極めて微小な浮上量で浮上しているため、磁気ディスク２の記録面に切削粉６１が存在すると、磁気ヘッドが切削粉６１を噛み込んで磁気ヘッドおよび磁気ディスク２に故障が発生する原因になる。
【００１６】
本発明の実施形態に係る磁気ディスク装置は、磁気ディスク２の周縁部に付着した切削粉６１が、再度の衝撃時にディスク内周側へ飛散することを防止する。
【００１７】
図５は本発明の一実施例に係る磁気ディスク装置のランプおよび磁気ディスクを示す斜視図である。図６（ａ）は本実施例のランプの側面図、図６（ｂ）は図６（ａ）の枠Ｍで表示した部分の拡大図である。図７（ａ）、（ｂ）、（ｃ）は、本実施例のランプをそれぞれ図６（ｂ）のＬ１、Ｌ２、Ｌ３のレベルで切断して示す斜視図である。図８（ａ）は本実施例のランプおよび磁気ディスクの平面図、図８（ｂ）は図８（ａ）のＢ−Ｂ’線に沿う断面図である。
【００１８】
これらの図に示すように、本実施例においても、烏口６を含むランプ５の一部は、磁気ディスク２とオーバラップしている。
【００１９】
ランプ５は、磁気ディスク２の記録面２１の周縁部に対向する記録面対向面５１と、磁気ディスク２の端面２２に対向する端面対向面５２を有する。さらに、ランプ５は、記録面対向面５１に隣接し磁気ディスク２の回転方向Ｒに面する一部の側面５４が磁気ディスク２の回転方向の下流側に後退している（以下、この側面を後退側面５４という）。後退側面５４より磁気ディスク２から離れた位置にある側面５３は図４（ａ）〜（ｃ）と同様に形成されている。後退側面５４は、本実施例のランプを図６（ｂ）のＬ２のレベルで切断して示す図７（ｂ）を参照するとよくわかる。側面５３は、本実施例のランプを図６（ｂ）のＬ３のレベルで切断して示す図７（ｃ）を参照するとよくわかる。本実施例では、図８（ａ）に示すように後退側面５４と磁気ディスク２外周の接線との間の角度θが鋭角をなす。この接線は、後退側面５４と磁気ディスク２外周との交点で引く。
【００２０】
本実施例でも、従来と同様に、磁気ディスク装置に外部から強い衝撃が加わると、衝撃によって磁気ディスク２が撓み、ランプ５の記録面対向面５１に衝突することがある。この衝撃により、回転している磁気ディスク２がランプ５を削り、磁気ディスク２の周縁部にランプ５の切削粉６１が付着する場合がある。
【００２１】
本実施例では、この状態で再度の衝撃が加わっても、後退側面５４と磁気ディスク２外周の接線とが鋭角をなしているため、磁気ディスク２の周縁部に付着した切削粉６１は、破線矢印で示すように、後退側面５４に沿って磁気ディスク２の外周側へ移動する。こうして、ランプ５の切削粉６１が磁気ディスク２の記録面に飛散するのを防止できる。したがって、磁気ディスク装置の記録再生動作時に、磁気ヘッドが切削粉６１を噛み込むことによって発生する、磁気ヘッドおよび磁気ディスク２の故障を防止できる。
【００２２】
なお、本実施例では後退側面５４が平面である場合を示しているが、後退側面５４は曲面になっていてもよい。
【００２３】
図９は本発明の他の実施例に係る磁気ディスク装置のランプおよび磁気ディスクを図６（ｂ）のＬ２のレベルで切断して示す斜視図である。
【００２４】
本発明を適用した場合、ランプ５の切削粉６１が最も飛散しやすいのは、ランプ５の後退側面５４と交差する位置の近傍の端面対向面５２であると考えられる。図９では、その近傍に粘着性を有するシールなどの樹脂層７１を設けている。この結果、飛散した切削粉６１が樹脂層７１に固着し、再び内周部へ飛散することを防止することができる。
【００２５】
図１０（ａ）は本発明のさらに他の実施例のランプおよび磁気ディスクの平面図、図１０（ｂ）は図１０（ａ）のＢ−Ｂ’線に沿う断面図である。
【００２６】
本実施例のランプは、後退側面５４よりも磁気ディスク２の回転方向Ｒの下流側の記録面対向面５１に１つ以上の溝Ｖを有し、１つ以上の溝内の壁面８１と磁気ディスク２外周の接線とが鋭角をなしている。図１０（ａ）および（ｂ）では、後退側面５４と溝内の壁面８１を平行に形成している。本実施例では、何らかの理由でランプ５の切削粉６１を後退側面５４に沿って磁気ディスク２の外周側へ移動させることができなかったとしても、切削粉６１を溝内の壁面８１に沿って磁気ディスク２の外周側へ移動させる可能性を高めることができる。
【図面の簡単な説明】
【００２７】
【図１】本発明の実施形態に係る磁気ディスク装置の斜視図。
【図２】本発明の実施形態に係る磁気ディスク装置のヘッドスタックアセンブリ（ＨＳＡ）の斜視図。
【図３】本発明の実施形態に係る磁気ディスク装置のロードアンロード機構としてのランプの外観を示す斜視図。
【図４】従来のランプおよび磁気ディスクの平面図、および断面図。
【図５】本発明の一実施例に係る磁気ディスク装置のランプおよび磁気ディスクを示す斜視図。
【図６】本発明の一実施例に係る磁気ディスク装置のランプの側面図。
【図７】本発明の一実施例に係る磁気ディスク装置のランプをそれぞれ図６（ｂ）のＬ１、Ｌ２、Ｌ３のレベルで切断して示す斜視図。
【図８】本発明の一実施例に係る磁気ディスク装置のランプおよび磁気ディスクの平面図および断面図。
【図９】本発明の他の実施例に係る磁気ディスク装置のランプを図６（ｂ）のＬ２のレベルで切断して示す斜視図。
【図１０】本発明のさらに他の実施例に係る磁気ディスク装置のランプおよび磁気ディスクの平面図および断面図。
【符号の説明】
【００２８】
１…ベース、２…磁気ディスク、３…ヘッドスタックアセンブリ（ＨＳＡ）、４…ボイスコイルモータ（ＶＣＭ）、５…ランプ、６…烏口、１０…ヘッドジンバルアセンブリ（ＨＧＡ）、１１…ボイスコイル、１３…軸受ユニット、１５…アーム、１６…サスペンション、１７…スライダ、１８…タブ、２１…記録面、２２…端面、５１…記録面対向面、５２…端面対向面、５３…側面、５４…後退側面、６１…切削粉、７１…樹脂層、８１…壁面。
【図１】
2010146686.tif 000003
【図２】
2010146686.tif 000004
【図３】
2010146686.tif 000005
【図４】
2010146686.tif 000006
【図５】
2010146686.tif 000007
【図６】
2010146686.tif 000008
【図７】
2010146686.tif 000009
【図８】
2010146686.tif 000010
【図９】
2010146686.tif 000011
【図１０】
2010146686.tif 000012